(57)【要約】  本発明は、ゴルフクラブの端部、即ち、金属部分を洗浄することを意図する可搬型で密閉された装置に関し、前記金属部分は、ボールを打ち、その結果、地面を打つ際に汚れにさらされ、ちり、泥、類似物質が金属部分に付着する。金属部分は、使用者により意図される方向から逸れることを阻止するために、ボールを打つ度に洗浄されなければならず、このようなことは、金属部分ではなく、蓄積された汚れがボールを打つときに発生しえる。
2011502606.tif 000002
【特許請求の範囲】
【請求項１】
ゴルフクラブを洗浄するための改良された装置であって、厳密に言えば、前記ゴルフクラブは木製又は類似素材で製造でされ、その端部において、水とブラシで必要なときに洗浄される取り付けられた金属部分を有する、装置において、
前記装置（１０）は、収容器要素（１３）で構成され、その両端部は上基部（１１）及び下基部（１２）を有し、前記上基部は、外側入口（１４）によってその中心部に作用を及ぼし、前記上基部（１１）及び前記下基部（１２）は、環状スカート（２１）、（２２）のそれぞれによって取り付けられ、前記装置（１０）の内部には、平面部分（１５）を備え、前記平面部分の中で、下部からディスクの形状のサポート（２０）が押圧される、ことを特徴とする装置。
【請求項２】
請求項１に記載のゴルフクラブを洗浄するための改良された装置において、前記上基部（１１）及び前記下基部（１２）は、前記収容器要素（１３）の両端部（２４）、（２５）で環状スカート（２１）、（２２）によって、前記収容器要素（１３）の内側表面（２７）に合わせられる、ことを特徴とする装置。
【請求項３】
請求項１に記載のゴルフクラブを洗浄するための改良された装置において、前記固定されたディスク（１５）は、その側面部に環状ジョイント（３６）を含み、前記環状ジョイントは前記収容器要素（１３）の内側表面（２７）に隣接する、ことを特徴とする装置。
【請求項４】
請求項１に記載のゴルフクラブを洗浄するための改良された装置において、前記収容器要素（１３）は円筒形構成である、ことを特徴とする装置。
【請求項５】
請求項１に記載のゴルフクラブを洗浄するための改良された装置において、前記平面部分（１５）は、ブロック（２３）から到達可能な外側入口（１８）を有し、前記ブロック（２３）のより長い側面から、平面的な分布の剛毛が延び、前記剛毛の先端部が、内部外側入口（１９）を規定する、ことを特徴とする装置。
【請求項６】
請求項１に記載のゴルフクラブを洗浄するための改良された装置において、前記サポート（２０）はディスクの形状を有し、
前記収容器（１３）の内部及びその内部表面（２７）を介して、二つのガイド（２８）を介して、スプリング（１７）の伸長力に抗して、スライドすることができ、前記スプリングの下端部は前記下基部（１２）を押圧し、前記上基部は、前記サポート（２０）を押圧する、ことを特徴とする装置。
【請求項７】
請求項１に記載のゴルフクラブを洗浄するための改良された装置において、前記装置（１０）の前記下基部（１２）に、かつその中心部に、中断弁（３０）が内蔵されており、前記中段弁は、ジョイントによって密閉され、その機能は、前記洗浄液の前記収容器要素（１３）を空にして、その内部を洗浄し、再び洗浄液で満たすことである、ことを特徴とする装置。
【請求項８】
請求項１に記載のゴルフクラブを洗浄するための改良された装置において、前記収容器要素（１３）内の液は、前記サポート（２０）を押圧することのみによってアクセス可能であり、圧力が開放されると、前記液自身が、密封状態で回収されて、姿勢に関わらず輸送が可能となる、ことを特徴とする装置。
【発明の詳細な説明】
【技術分野】
【０００１】
本発明は、正確には、新しく構想された円筒形状の収容器要素からなる装置であって、その上部に装備された外側入口に、ゴルフクラブの金属部を挿入して、その装置の内部に備えられた洗浄液を含むブラシでゴルフクラブを洗浄する装置である。
【背景技術】
【０００２】
この密閉された携帯用装置の目的は、ゴルフクラブの先端部を洗浄する事で、言い換えれば、ボールを当てるようにデザインされた金属部が地面との接触する結果、泥や、ほこり、そして他の汚物がゴルフクラブに付着し、ボールを当てる度にゴルフクラブの先端部を洗浄する事によって、付着した汚れがボールに当たるのではなく、金属部分が正確にボールと接触することで、使用者が意図したボールの方向進路からの外れを防ぐ事を目的とする。
【発明の概要】
【発明が解決しようとする課題】
【０００３】
現在、このような装置の存在は記録されていなく、大抵のゴルフ場では、使用者はゴルフクラブの先端部をウォータージェットと通常のブラシを使用して洗浄を行っている。このために開発された装置は存在してない。
【課題を解決するための手段】
【０００４】
この装置は収容器要素で構成され、円筒形状の構成がふさわしいが、他の形状種々でも構成可能である。前記要素は、その両先端部の基部を含み、上基部には外側入口（挿入口）が設置されて、下基部は収容器を密閉する。
【０００５】
上基部にはゴルグクラブの先端部、金属部分を挿入する矩形の開口した外側入口を有し、挿入されたゴルフクラブは、内壁にブラシ状の平面的な剛毛の分布によって取り囲まれる円筒形ブロックの外側入口（挿入口）を通過して、上基部に平行な平面部分の開口から空洞又は洗浄液が満ちた内部にたどり着く。
【０００６】
平行な平面部分はディスク形状であり、その開口された部分がゴルグクラブの金属部分が通る外側入口（挿入口）を規定する。ゴルグクラブの金属部分が挿入されて、次のディスクにあたって、そのディスクが、洗浄液を含んだ収容器要素内で、上下に又はその逆にスライドすることができる。
【０００７】
洗浄液は、ディスクと収容器要素の内面との間で、可動ディスクが下部に移動した際、上部に残されたスペースによって、収容器の下部から上向きに移動することができる。前述のディスクによりゴルフクラブの先端部が押されると、洗浄液は開いた領域を上昇して、前記ディスク上部で留まりつつ、ガイドされる。このディスクは前記収容器要素の上下にスライドでき、収容器要素は内部から室が密閉されており、収容器要素は、タンクを空にし洗浄し洗浄液を入れるために、小さい中断弁を有する。
【０００８】
装置の全ての必須のパーツが簡単に取り外し、洗浄、組み立てができるように考慮してデザインされている為、装置はとてもシンプルで製造コストは低価格である。
発明の実施の形態、他の詳細と特徴は添付された図形を参考にしながら後述の記載で説明される。
【図面の簡単な説明】
【０００９】
【図１】ゴルフクラブ洗浄装置（１０）の透視図である。
【図２】内部のパーツを可視可能にする装置（１０）の部分的な透視図である。
【図３】ブロック（２３）とブラシ（１６）を示す装置（１０）の上面図である。
【図４】内部が上昇した部分側面図であり、収容器（１３）内での上基部（１１）と下基部（１２）の連結と、装置（１０）の他のパーツを示す。
【図５】装置（１０）の部分的な透視図である。
【発明を実施するための形態】
【００１０】
本発明の目的にあう好ましい実施形態において、図４に示されるように、装置（１０）は好ましくは円筒形の収容器（１３）を示し、その上部（２４）及び下部（２５）は、上基部（１１）と下基部（１２）で閉じられ、それらはそれぞれスカート（２１）、（２２）を有し、収容器要素（１３）の下部（１２）はジョイント（２６）によって密閉される。
【００１１】
図４で表示された下基部（１２）は、ジョイント（３２）によって密閉されていて、中心部には、中断弁（３０）が設置されている。中断弁（３０）の機能は、収容器要素（１３）を空にして、洗浄し、洗浄液を入れることである。
【００１２】
図４で表示されたように装置（１０）の内部において、そのほぼ中段には、平面部分（１５）とＯ−リングジョイント（３６）とが位置し、前記平面部分は、ディスク状であり複数のガイド（２８）によって底部から固定され、前記ガイドは剛直であり、サポート（２０）を備え、前記Ｏ−リングジョイント（３６）は、収容器要素（１３）を円筒状の半分に分割する。
【００１３】
図２、図３、及び図５に示されるように、前記平面部分（１５）は、小さくくぼんだ矩形の外側入口（挿入口）（１８）を示し、その入口を通って、図に表示されていないが、ゴルフクラブの先端部が挿入される。
【００１４】
図２で示されるように、サポート（２０）は、ガイド（２８）によって案内されるディスクであり、それが、スプリング（１７）の伸長力に抗して、収容器（１３）の内部で上下にスライドすることができ、スプリングの下端部は、下基部（１２）を押圧し、スプリングの上端部はＯ−リングジョイント（３１）に対してサポート（２０）を押圧する。
【００１５】
使用者による装置（１０）の操作は以下の通りである。ゴルフクラブが上基部（１１）の外側開口（１４）に挿入されて、ゴルフクラブの末端部が下基部（１２）に面するようになる。挿入されたゴルフクラブの金属部分は、収容器要素（１３）の内部によって、収容器要素（１３）の下方に移動し、それがサポート（２０）に達すると、スプリング（１７）を圧縮することにより、下方に押し付けられ、同時に、図示しないものの、内部（１３）に収容された洗浄液が、サポート（２０）と収容器要素（１３）との間の空間を通って上昇して、ゴルフクラブの金属部分に散布される。
【００１６】
この発明が他の洗浄システムと比べてのユニークな利点は、密閉システム構成のため、携帯用アクセサリとして使用できることである。
添付された図形を参考にしたこの発明の詳細な説明では、特許請求の範囲で発明の本質に影響を及ばさない限り、発明の詳細に関しての適切だと思われる修正、変更が可能なものと把握される。
【符号の説明】
【００１７】
本発明の図示される主要な構成の詳細一覧は下記の通りある。（１０）は装置、（１１）は上基部、（１２）は下基部、（１３）は収容器、（１４）は外部入口、（１５）は平面部、（１６）はブラシ、（１７）はスプリング、（１８）は開口、（１９）は外部入口、（２０）はサポート、（２１）及び（２２）はスカート、（２３）はブラシを搭載するブロック、（２４）及び（２５）は収容器（１３）の上部と下部、、（２６）はジョイント、（２７）は収容器（１３）の内部面、（２８）は可動ディスクガイド、（２９）はサポートガイド用スクレーパー（弾性ジョイント）、（３０）は中断弁、（３１）はジョイント、（３２）はジョイント、（３３）はサポート用スクレーパー台、（３４）はベルトサポート台、（３５）はベルトサポート、（３６）は平面部（１５）のＯリングジョイント、（３７）はブロック（２３）のブラシ台のセット、（３８）は固定されたディスク（１５）のブロック台（２３）のセット、（３９）は収容器要素（１３）の基部台（１１）及び（１２）のセット、（４０）はサポート（２０）用スクレーパー台（３３）のセット、（４１）は可動ディスクガイド用の下基部（１２）と平面部（１５）のガイド台（２８）のセット、（４２）は収容器（１３）のベルトサポート台（３４）のセットである。
【図１】
2011502606.tif 000003
【図２】
2011502606.tif 000004
【図３】
2011502606.tif 000005
【図４】
2011502606.tif 000006
【図５】
2011502606.tif 000007
【国際調査報告】
2011502606.tif 000008
2011502606.tif 000009
2011502606.tif 000010
2011502606.tif 000011
2011502606.tif 000012
2011502606.tif 000013
2011502606.tif 000014
2011502606.tif 000015